(57)【特許請求の範囲】
【請求項１】
所有者によって所持され、所定の送信信号を送信する携帯機と、建物用ドアまたはそのドアの近辺に配設され、前記送信信号に基づいてドア錠を解錠する通信制御装置とを備えるとともに、前記携帯機は、前記通信制御装置から出力されるリクエスト信号の受信時に、所定の送信信号を自動送信する送信手段を備え、前記通信制御装置は、前記リクエスト信号を前記ドア周辺の所定領域に出力するリクエスト信号出力手段と、前記携帯機からの送信信号を受信する受信手段と、前記送信信号に含まれるＩＤコードと予め設定されたＩＤコードとを比較し、それらＩＤコード同士が一致したときにドア錠を解錠するとともに、前記ドア錠を解錠した後、前記受信手段によって前記携帯機からの送信信号を受信できなくなったときに前記ドア錠を施錠するドアロック制御手段とを備える建物用ドア錠の遠隔操作装置であって、
前記ドアまたはそのドアの近辺には、屋外側における前記リクエスト信号の出力領域内において、同リクエスト信号の出力領域よりも狭くかつ前記ドアに近い領域を検知領域として該検知領域内における人の存在を検知する人検知手段と、
前記携帯機と前記通信制御装置との相互通信に基づいてドア錠が解錠されず、且つ前記人検知手段によって前記検知領域内における人の存在が検知された際に、警告を発して注意を促す警告手段とが設けられていることを特徴とする建物用ドア錠の遠隔操作装置。
【請求項２】
前記ドアの屋外側面には、前記ドア錠を機械鍵によって解錠可能な機械錠が併設されていることを特徴とする請求項１に記載の建物用ドア錠の遠隔操作装置。
【発明の詳細な説明】
【０００１】
【発明の属する技術分野】
本発明は、建物用ドア錠の遠隔操作装置に関し、例えば住宅のドア錠の自動解錠を行う装置に関するものである。
【０００２】
【従来の技術】
一般に、住宅等の建物のドア錠は、ドアに設けられた鍵穴に機械的なキーを挿入して回動することにより、施錠・解錠されるようになっている。
【０００３】
しかし近年では、セキュリティの向上を目的に、ＩＤコードを用いた電子キーシステムも提案されている。この電子キーシステムは、所定のＩＤコードが記録された電子キーと、そのＩＤコードを読み取るための電子錠とから構成されている。こうした電子キーシステムとして、電子錠に設けられたカードリーダに電子キーを接触させることによって、電子錠にＩＤコードを読み込ませるものがある。また、電子キーに設けられた送信ボタンを押すことによって、ＩＤコードを含む無線信号を電子キーから電子錠に送信させて、電子錠にＩＤコードを読み込ませるものもある。いずれのタイプも、電子錠は、読み取ったＩＤコードと、予め設定されたＩＤコードとを比較し、それらＩＤコード同士が一致したときにドア錠を解錠するようになっている。
【０００４】
【発明が解決しようとする課題】
しかしながら、これらいずれの電子キーシステムにおいても、電子キーによって解錠を行うためには、電子キーを手にとって操作を行う必要があった。このため、特に家人が荷物などを持っていて手が塞がっている場合などには、解錠操作が煩雑であった。また、施錠操作も同様の操作を行う必要があるため煩雑であった。
【０００５】
そして、こうした電子キーシステムによってセキュリティが向上したものの、より高いセキュリティが望まれている。
本発明はこうした実情に鑑みてなされたものであり、その目的は、セキュリティをより向上させることができる建物用ドア錠の遠隔操作装置を提供することにある。
【０００６】
【課題を解決するための手段】
上記の課題を解決するために、請求項１に記載の発明では、所有者によって所持され、所定の送信信号を送信する携帯機と、建物用ドアまたはそのドアの近辺に配設され、前記送信信号に基づいてドア錠を解錠する通信制御装置とを備えるとともに、前記携帯機は、前記通信制御装置から出力されるリクエスト信号の受信時に、所定の送信信号を自動送信する送信手段を備え、前記通信制御装置は、前記リクエスト信号を前記ドア周辺の所定領域に出力するリクエスト信号出力手段と、前記携帯機からの送信信号を受信する受信手段と、前記送信信号に含まれるＩＤコードと予め設定されたＩＤコードとを比較し、それらＩＤコード同士が一致したときにドア錠を解錠するとともに、前記ドア錠を解錠した後、前記受信手段によって前記携帯機からの送信信号を受信できなくなったときに前記ドア錠を施錠するドアロック制御手段とを備える建物用ドア錠の遠隔操作装置であって、前記ドアまたはそのドアの近辺には、屋外側における前記リクエスト信号の出力領域内において、同リクエスト信号の出力領域よりも狭くかつ前記ドアに近い領域を検知領域として該検知領域内における人の存在を検知する人検知手段と、前記携帯機と前記通信制御装置との相互通信に基づいてドア錠が解錠されず、且つ前記人検知手段によって前記検知領域内における人の存在が検知された際に、警告を発して注意を促す警告手段とが設けられていることを要旨とする。
【００１０】
請求項２に記載の発明では、請求項１に記載の建物用ドア錠の遠隔操作装置において、前記ドアの屋外側面には、前記ドア錠を機械鍵によって解錠可能な機械錠が併設されていることを要旨とする。
【００１１】
以下、本発明の「作用」について説明する。
請求項１，２に記載の発明によると、ドアに人が近接した際に、その人に対して警告手段による注意がなされる。このため、例えば泥棒などがドア錠を破ろうとした際には、ドア錠を破る前に警告手段が作動する。よって、建物内への泥棒の侵入の抑止力として機能させることができる。このため、セキュリティをより向上させることができる。
【００１３】
特に、携帯機は、リクエスト信号の出力領域に入ると、通信制御装置に対して自動的に送信信号を送信する。そして、通信制御装置は、その送信信号に含まれるＩＤコードと、予め設定されたＩＤコードとを比較し、それらＩＤコード同士が一致したときにドア錠を解錠する。このため、携帯機の所有者は、ドアに近づくだけで、一切の操作を行うことなくドア錠を解錠することができる。また、ドア錠が解錠された後、受信手段が携帯機からの送信信号を受信できなくなったときには、ドアロック制御手段によってドア錠が自動的に施錠される。このため、所有者は、一切の操作を行うことなくドア錠を施錠することができる。
【００１４】
また、人検知センサの検知領域は、前記リクエスト信号の出力領域よりも狭い領域に設定されている。このため、携帯機を所持する人がドアに近接または接触した際には、警告手段が作動する前に確実にドア錠が解錠される。すなわち、携帯機を所持する人がドアに近接した際に警告手段が作動することが確実に防止される。よって、警告手段の不必要な作動を確実に防止することができる。
【００１５】
請求項２に記載の発明によると、ドアの屋外側面に機械錠が併設されているため、携帯機の電池切れ時や通信制御装置の停電時には、機械鍵によってドア錠を解錠することができる。また、機械錠を併設することによって、ドア錠のセキュリティが機械錠のセキュリティレベルまで低下するものの、携帯機を所持しない人がドアに近接または接触すると警告が発せられる。このため、ドアに機械錠を併設しても、ドア錠のセキュリティを確保することができる。
【００１６】
【発明の実施の形態】
以下、本発明を住宅用ドア錠の遠隔操作装置に具体化した一実施形態を図１〜図４に基づき詳細に説明する。
【００１７】
図１に示すように、住宅用遠隔操作装置１は、住宅２の所有者（家人）に所持される携帯機１１と、住宅２のドア３内に配設され、携帯機１１と相互通信可能な通信制御装置１２とを備えている。
【００１８】
図２及び図３に併せ示すように、ドア３には、屋外側に露出する屋外アンテナ４部と、屋内側に露出する屋内アンテナ部５が配設されている。これらアンテナ部４，５には、それぞれＬＥＤ等からなる告知手段としての表示部６が形成されている。
【００１９】
屋外アンテナ部４の内部には、図４に示す送信アンテナ４ａと受信アンテナ４ｂとが配設されている。また、屋内アンテナ部５の内部には図４に示す送信アンテナ５ａと受信アンテナ５ｂとが配設されている。
【００２０】
なお、本実施形態において、送信アンテナ４ａ，５ａは１３４ｋＨｚの電波を送信可能に設定され、受信アンテナ４ｂ，５ｂは３００ＭＨｚの電波を受信可能に設定されている。
【００２１】
また、ドア３には２つのドア錠７，８が形成されており、同ドア３の屋内側面には、これらドア錠７，８を手動で施解錠可能な手動ロック手段７ａ，８ａが形成されている。これら手動ロック手段７ａ，８ａは、一般的な屋内側施解錠用つまみである。
【００２２】
さらに、図２に示すように、住宅２の庇２ａには、人検知手段としての人検知センサ９及び警告手段としてのブザー１０が配設されている。人検知センサ９は、例えば赤外線センサや超音波センサ等から構成されている。そして、この人検知センサ９は、図３に併せ示すように、ドア３の屋外側における所定領域Ａ３内に人の存在を認めた際に検出信号を出力するようになっている。この所定領域Ａ３は、ドア３における屋外側面のほぼ全体を含むように設定されている。
【００２３】
図４に示すように、携帯機１１は、受信回路１３、マイクロコンピュータ（マイコン）１４、送信手段としての送信回路１５、及び手動操作手段としての入力回路１６を備えている。
【００２４】
受信回路１３は、通信制御装置１２からのリクエスト信号を受信して、その信号をマイコン１４に入力するための回路である。マイコン１４は、受信回路１３からのリクエスト信号が入力されたときに、予め設定された所定のＩＤコードを含む送信信号（ＩＤコード信号）を出力するための回路である。送信回路１５は、そのＩＤコード信号を所定周波数の電波に変調して外部に送信するための回路である。受信回路１３には受信アンテナ１７ａが接続され、送信回路１５には送信アンテナ１７ｂがそれぞれ接続されている。入力回路１６は、操作キー等からなり、家人のキー操作によって入力された操作信号をマイコン１４に入力するための回路である。なお、本実施形態におけるＩＤコード信号の周波数は、３００ＭＨｚに設定されている。
【００２５】
一方、図４に示すように、通信制御装置１２は、リクエスト信号出力手段としての送信回路２１、受信手段としての受信回路２２、及びドアロック制御手段としてのマイクロコンピュータ（マイコン）２３を備えている。
【００２６】
送信回路２１には送信アンテナ４ａ，５ａが接続され、受信回路２２には受信アンテナ４ｂ，５ｂが接続されている。送信回路２１は、マイコン２３から出力されるリクエスト信号を所定周波数の電波に変換し、送信アンテナ４ａ，５ａを介して出力するための回路である。したがって、図３に示すように、リクエスト信号は、屋外側送信アンテナ４ａを介して屋外側におけるドア３の周辺の所定領域Ａ１に出力されるとともに、屋内側送信アンテナ５ａを介して屋内側におけるドア３の周辺の所定領域Ａ２に出力される。すなわち、これらの所定領域Ａ１，Ａ２において携帯機１１と通信制御装置１２との相互通信が可能となる。なお、本実施形態におけるリクエスト信号の周波数は、１３４ｋＨｚに設定されている。また、屋外側に出力されるリクエスト信号の出力領域Ａ１は、前記人検知センサ９の検知領域Ａ３を含み、かつその検知領域Ａ３よりも広くなるように設定されている。受信回路２２は、携帯機１１から出力されたＩＤコード信号を受信アンテナ４ｂ，５ｂを介して受信し、そのＩＤコード信号をパルス信号に復調して受信信号を生成するとともに、その受信信号をマイコン２３へ出力するための回路である。
【００２７】
また、マイコン２３には、表示部６、ドア錠７，８、及び人検知センサ９が電気的に接続されている。このマイコン２３は、具体的には図示しないＣＰＵ、ＲＯＭ、ＲＡＭからなるＣＰＵユニットであり、リクエスト信号を間欠的に出力する。また、マイコン２３には予め設定された所定のＩＤコードが記憶されており、前記受信信号が入力されたときには、自身のＩＤコードと受信信号に含まれるＩＤコードとを比較する。そして、それらＩＤコードが一致したときに、マイコン２３は、ドア錠７，８に対して駆動信号を出力する。
【００２８】
次に、このように構成された住宅用遠隔操作装置１によるドア錠７，８の基本的な施解錠動作について説明する。
遠隔操作装置１の動作時には、まず、通信制御装置１２の送信アンテナ４ａ，５ａから所定領域Ａ１，Ａ２に対して、リクエスト信号が間欠的に出力される。このリクエスト信号は、遠隔操作装置１の動作中、常時出力される。
【００２９】
携帯機１１は、所定領域内に入ってリクエスト信号を受信すると、このリクエスト信号に応答してＩＤコード信号を自動送信する。すなわち、携帯機１１を所持する家人がドア３に近づいたときに、携帯機１１からＩＤコード信号が送信される。携帯機１１は、通常、リクエスト信号を受信するためのスタンバイモードとなっており、該リクエスト信号の受信時にのみＩＤコード信号を送信するようになっている。
【００３０】
通信制御装置１２は、ＩＤコード信号を受信すると、そのＩＤコード信号に含まれるＩＤコードを、自身に予め記録されたＩＤコードと比較する。そして、それらＩＤコード同士が一致したときには、ドア錠に対して駆動信号を出力して、ドア錠７，８を解錠させる。このため、ドア錠７，８は、家人がドア３に近づくだけで自動的に解錠される。すなわち、家人は、ドア錠７，８を解錠するための操作を一切行う必要がない。
【００３１】
一方、ドア錠の解錠後、携帯機１１が所定領域Ａ１，Ａ２から離間したときには、携帯機１１は、リクエスト信号を受信できなくなるため、ＩＤコード信号を送信しなくなる。すなわち、通信制御装置１２はＩＤコード信号を受信できなくなる。この場合、マイコン２３は、携帯機１１がドア３から離れたものと判断して、ドア錠７，８に対して駆動信号を出力し、ドア錠７，８を施錠させる。よって、ドア錠７，８は、家人がドア３から離間するだけで自動的に施錠される。すなわち、家人は、ドア錠７，８を施錠するための操作を一切行う必要がない。したがって、こうした住宅用遠隔操作装置１によれば、ドア錠７，８を一切の操作を行うことなく施解錠することができる。また、マイコン２３は、ドア錠７，８の解錠時及び施錠時に、前記表示部６に対して信号を出力し、同表示部６によって解錠または施錠されたことを表示させる。なお、本実施形態において表示部６は、色の異なる２つのＬＥＤからなり、ドア錠の解錠時には一方のＬＥＤを点灯させ、ドア錠の施錠時には他方のＬＥＤを点灯させるようになっている。
【００３２】
ところで、このように施解錠動作が行われる遠隔操作装置１において、人検知センサ９による検知信号出力時、携帯機１１の入力回路１６の作動時、手動ロック機構７ａ，８ａの作動時には、次のような動作が行われる。
【００３３】
（ａ）人検知センサ９による検知信号出力時
人検知センサ９の検知領域Ａ３は、屋外側に出力されるリクエスト信号の出力領域Ａ１よりも狭い範囲に設定されている。このため、人検知センサ９から検知信号が出力されたときには、携帯機１１と通信制御装置１２との相互通信が可能となっている。換言すれば、人検知センサ９から検知信号が出力されたときには、ドア錠７，８が解錠された状態になっている。したがって、検知信号の出力時にドア錠７，８が解錠されているか否かにより、家人がドア３に近づいたのか、不審者がドア３に近づいたのかが判断可能となる。そして、ドア錠７，８が施錠状態のとき、すなわち不審者がドア３に近づいたときには、マイコン２３からブザー１０に対して作動信号が出力され、ブザー１０を作動させる。つまり、マイコン２３がブザー１０の作動信号出力手段として機能する。これにより、ブザー１０から警告音が発せられ、不審者に対して警告音による注意が促される。このため、不審者のドア３への接近が防止され、泥棒などの侵入の抑止力となる。よって、家人がドア３に近づいても警告音が発せられることはない。
【００３４】
なお、通信制御装置１２によって行われる制御の一連の動作概要を、図５のフローチャートに示す。
（ｂ）入力回路１６の作動時
携帯機１１に設けられた操作キーによって操作がなされたときには、その操作信号が入力回路１６からマイコン１４に入力され、送信回路１５からアンテナ１７を介して外部に手動操作信号が送信される。この手動操作信号には、ドア錠７，８を優先的に解錠または施錠するための信号が含まれている。そして、通信制御装置１２のマイコン２３は、この手動操作信号を受信すると、前記ＩＤコードの照合を行い、該ＩＤコードが適合したときに、ドア錠７，８を優先的に解錠または施錠させる。このため、操作キーによって解錠の操作がなされたときには、たとえ携帯機１１が所定領域Ａ１，Ａ２外にあったとしても、ドア錠７，８は解錠される。そして、施錠の操作がなされたときには、たとえ携帯機１１が所定領域Ａ１，Ａ２内にあったとしても、ドア錠７，８は施錠される。
【００３５】
（ｃ）手動ロック機構７ａ，８ａの作動時
ドア錠７，８は、手動ロック機構７ａ，８ａを手動操作することによっても施解錠可能となっている。そして、この手動ロック機構７ａ，８ａが操作されたときには、前記遠隔操作装置１による自動施解錠よりも優先的にドア錠７，８が施錠または解錠されるようになっている。よって、こうした手動ロック機構７ａ，８ａによる手動操作がなされたときには、携帯機１１を所持していなくてもドア錠７，８を解錠することができる。また、携帯機１１が所定領域Ａ１，Ａ２内にある場合においてもドア錠７，８を施錠することができる。
【００３６】
したがって、本実施形態によれば以下のような効果を得ることができる。
（１）携帯機１１を所持しない人がドア３に近づいた際には、不審者がドア３に近づいたものとして、ブザー１０から警告音が発せられる。このため、例えば泥棒などがドア錠７，８を破ろうとした際には、ドア錠７，８を破る前に警告音が発せられる。よって、住宅２内への泥棒の侵入の抑止力として機能させることができる。このため、セキュリティをより向上させることができる。
【００３７】
（２）携帯機１１の所持者（家人）は、ドア３に近づくだけで、一切の操作を行うことなくドア錠７，８を解錠することができる。また、ドア錠７，８が解錠された後、家人がリクエスト信号の出力領域Ａ１，Ａ２から離間したときには、ドア錠７，８が自動的に施錠される。このため、家人は、一切の操作を行うことなくドア錠７，８を施錠することができる。
【００３８】
（３）人検知センサ９から検知信号が出力されても、ＩＤコードが一致したとき、すなわちドア錠７，８が解錠されたときにはブザー１０は作動しない。このため、家人がドア３に近づいても、警告音が発せられることはない。つまり、不審者がドア３に近づいたときにのみ、警告音が発せられる。よって、ブザー１０の不必要な作動を確実に防止することができ、防犯上の信頼性を向上させることができる。
【００３９】
（４）人検知センサ９の検知領域Ａ３は、屋外側に出力されるリクエスト信号の出力領域Ａ１よりも狭い範囲に設定されている。このため、家人がドア３に近づいた際には、ブザー１０の作動が確実に防止される。よって、ブザー１０の不必要な作動を確実に防止することができ、防犯上の信頼性をより向上させることができる。
【００４０】
（５）人検知センサ９は住宅２の庇２ａに配設されているため、ドア３の近辺を確実に検知させることができる。また、その検知領域Ａ３を、屋外側におけるリクエスト信号の出力領域Ａ１よりも確実に狭くすることができる。
【００４１】
（６）警告手段としてブザー１０が用いられているため、不審者がドア３に近づいた際には、近隣の住人などもその旨を認識することができる。また、音による警告は不審者に対して心理的に与える効果が大きいため、泥棒等の侵入の抑止力効果を高めることができる。
【００４２】
（７）ドア錠７，８が施錠された際には、表示部６を点灯させることによって施解錠状態が告知される。このため、家人は、ドア３から離れていてもドア錠７，８が施錠状態または解錠状態にあることを確実に認識することができる。
【００４３】
（８）表示部６は、ドア錠７，８の施錠時から所定時間のみ点灯するようになっている。このため、第三者がドア３の施解錠状態を容易に認識してしまうといった不都合を解消することができ、セキュリティの低下を防止することができる。
【００４４】
（９）携帯機１１に設けられた操作キーを操作することによって入力回路１６を作動させた際には、ドア錠７，８は優先的に施解錠される。このため、家人は、リクエスト信号の出力領域Ａ１，Ａ２外にいてもドア錠７，８を解錠することができる。もちろん家人は、該出力領域Ａ１，Ａ２内にいてもドア錠７，８を施錠することができる。よって、家人の意志に基づいたドア錠７，８の施解錠を確実に行うことができ、当該装置１の操作性を向上させることができる。
【００４５】
（１０）ドア３の屋内側面には手動ロック機構９が設けられているため、この手動ロック機構７ａ，８ａを操作することによって、手動でドア錠７，８を施解錠することができる。よって、家人の意志に基づいたドア錠７，８の施解錠を確実に行うことができ、当該装置１の操作性を向上させることができる。
【００４６】
また、こうした手動ロック機構７ａ，８ａによる手動操作がなされたときには、自動施解錠よりも優先的にドア錠７，８が施解錠される。このため、例えば、ドア３の近くに不審人物がいるときなど、家人が早急にドア錠７，８の施錠を行いたい場合に、家人はドア３の閉じ動作後、ドア錠７，８を即座に施錠させることができる。よって、セキュリティを一層向上させることができる。
【００４７】
なお、本発明の実施形態は以下のように変更してもよい。
・  図１に２点鎖線で示すように、ドア３の屋外側面に、ドア錠７，８を機械鍵によって解錠可能な機械錠３１，３２を併設してもよい。このようにすれば、携帯機１１の電池切れ時や通信制御装置１２の停電時には、機械鍵によってドア錠７，８を解錠することができる。また、機械錠３１，３２を併設することによって、ドア錠７，８のセキュリティが機械錠３１，３２のセキュリティレベルまで低下するものの、携帯機１１を所持しない人がドア３に近接すると警告が発せられる。このため、ドア３に機械錠３１，３２を併設しても、ドア錠７，８のセキュリティを確保することができる。
【００４８】
・  公知の技術を用いて家人が在宅しているか否かを判断し、家人が在宅しているときには、人検知センサ９によってドア３への人の近接を検知しても、ブザー１０を作動させないようにしてもよい。
【００４９】
・  前記実施形態では、遠隔操作装置として、ドア錠７，８を自動的に施解錠する遠隔操作装置１に具体化している。しかし、遠隔操作装置は、前述した従来の電子キーシステムに具体化してもよい。このようにしても、ドア３への人の近接を人検知センサ９によって検知することができ、その近接した人に対して警告を発することができる。このため、ドア錠７，８のセキュリティを向上させることができる。
【００５０】
・  人検知センサ９は、庇２ａに限らず、例えばドア３内に配設されてもよい。また、この人検知センサ９は、ドア３の近辺であれば何処に配設されてもよい。
【００５１】
・  屋外側の床面においてドア３と近接箇所に荷重センサを配設し、これを人検知センサ９として用いてもよい。このようにすれば、人以外の動物等の存在を検知してブザー１０をさせてしまうことを確実に防止できる。
【００５２】
・  前記実施形態では、人検知センサ９の検知領域Ａ３は、屋外側におけるリクエスト信号の出力領域Ａ１よりも狭い範囲に設定されている。しかし、この検知領域Ａ３は、リクエスト信号の出力領域Ａ１と同等の範囲に設定されてもよい。
【００５３】
・  前記実施形態では、人検知手段としてドア３の近辺における人の存在を検知する人検知センサ９を用いている。しかし、この人検知手段として、ドア３への人の接触を検知する接触センサを用いてもよい。また、これら両者を併用して用い、両方が検知状態となったときにブザー１０を作動させるようにしてもよい。
【００５４】
・  前記実施形態では、警告手段としてブザー１０を用い、音による警告を行うようになっている。しかし、この警告手段としてスピーカを用い、音声による警告を行うようにしてもよい。また、警告手段としてライトなどを用い、光による警告を行うようにしてもよい。
【００５５】
・  前記実施形態では、ドア３に２つのドア錠７，８が設けられている。しかし、ドア錠７，８は、２つに限らず、１つのみであってもよい。また、３つ以上のドア錠としてもよい。
【００５６】
・  手動ロック機構７ａ，８ａを省略してもよい。このようにしても、自動施解錠動作によって、ドア錠７，８を施解錠させることができる。
・  表示部６を省略してもよい。
【００５７】
・  住宅用通信制御装置１２は、ドア３内に限らず、ドア３の近辺に配設されてもよい。
・  前記実施形態では、リクエスト信号を電波として出力している。しかし、リクエスト信号は、所定領域Ａ１，Ａ２に出力される磁界であってもよい。
【００５８】
・  遠隔操作装置１を、住宅用に限らず、店舗や事務所等の建物用ドア錠の遠隔操作装置として具体化してもよい。
次に、特許請求の範囲に記載された技術的思想のほかに、前述した実施形態によって把握される技術的思想をその効果とともに以下に列挙する。
【００５９】
（１）  請求項１または２に記載の建物用ドア錠の遠隔操作装置において、前記人検知手段は建物の庇に設けられた人検知センサであること。この技術的思想（１）に記載の発明によれば、建物のドアの近辺の人の存在を人検知センサによって確実に検知させることができる。
【００６０】
（２）  請求項１，２、技術的思想（１）のいずれか１項に記載の建物用ドア錠の遠隔操作装置において、前記警告手段は、ブザーであること。この技術的思想（２）に記載の発明によれば、不審者が建物のドアに近づいた際には、近隣の住人などにもその旨を認識させやすくすることができる。また、音による警告は不審者に対して心理的に与える効果が大きいため、泥棒等の侵入の抑止力効果を高めることができる。
【００６１】
【発明の効果】
以上詳述したように、本発明によれば、ドア錠のセキュリティをより向上させることができる。
【００６３】
また、携帯機の所有者は、一切の操作を行うことなくドア錠を施解錠することができるとともに、携帯機を所持する人がドアに近接した際における警告手段の作動を確実に防止することができ、警告手段の不必要な作動を確実に防止することができる。
【００６４】
請求項２に記載の発明によれば、携帯機の電池切れ時や通信制御装置の停電時には、機械鍵によってドア錠を解錠することができる。そして、この場合においても、ドア錠のセキュリティを確保することができる。
【図面の簡単な説明】
【図１】本発明を住宅用ドア錠の遠隔操作装置に具体化した一実施形態の概略斜視図。
【図２】同実施形態に用いられるドアの概略側面図。
【図３】同実施形態に用いられるドアの概略平面図。
【図４】同実施形態の遠隔操作装置の概略構成を示すブロック図。
【図５】同実施形態の遠隔操作装置の一連の制御動作を示すフローチャート。
【符号の説明】
１…遠隔操作装置、２…住宅、３…ドア、４，５…アンテナ、６…表示部、７，８…ドア錠、７ａ，８ａ…手動ロック機構、９…人検知センサ、１０…警告手段としてのブザー、１１…携帯機、１２…通信制御装置、１３…受信回路、１４…マイコン、１５…送信手段としての送信回路、１６…手動操作手段としての入力回路、２１…リクエスト信号出力手段としての送信回路、２２…受信手段としての受信回路、２３…ドアロック制御手段としてのマイコン。
【図１】
0003831172.tif 000002
【図２】
0003831172.tif 000003
【図３】
0003831172.tif 000004
【図４】
0003831172.tif 000005
【図５】
0003831172.tif 000006